(57)【要約】分析対象の物質を含む溶液が極微量であっても、当該溶液をロスすることなくハイスループットに解析を行う。  分離流路からの溶出時間が早い物質を含む第１溶液と、当該分離流路からの溶出時間が遅い物質を含む第２溶液とを、前記第１溶液の少なくとも一部を前記第２溶液の少なくとも一部よりも後に分離流路に導入する工程と、上記分離流路から溶出する物質に関するクロマトグラムを検出する工程とを含む。【特許請求の範囲】
【請求項１】
分離流路からの溶出時間が早い物質を含む第１溶液と、当該分離流路からの溶出時間が遅い物質を含む第２溶液とを、前記第１溶液の少なくとも一部を前記第２溶液の少なくとも一部よりも後に分離流路に導入する工程と、
上記分離流路から溶出する物質に関するクロマトグラムを検出する工程と
を含む相互作用分析方法。
【請求項２】
検出したクロマトグラムと、第１溶液に含まれる物質及び／又は第２溶液に含まれる物質が他の物質と相互作用していない場合のクロマトグラムとを比較する工程を更に含み、
これらクロマトグラム間に差異が生じている場合には、第１溶液に含まれる物質と第２溶液に含まれる物質との間に相互作用が存在すると判定することを特徴とする請求項１記載の相互作用分析方法。
【請求項３】
前記分離流路が、サイズ排除クロマトグラフィー、イオン交換クロマトグラフィー、アフィニティークロマトグラフィー、吸着クロマトグラフィー、疎水性クロマトグラフィー、ヒドロキシアパタイトクロマトグラフィー、金属キレートクロマトグラフィー、電気泳動管及び電気浸透流管からなる群から選ばれる少なくとも１のクロマトグラフィーであることを特徴とする請求項１記載の相互作用分析方法。
【請求項４】
前記クロマトグラムを、質量検出器、分光検出器、ＵＶ検出器、蛍光検出器、発光検出器、屈折検出器及び電気化学検出器からなる群から選ばれる少なくとも１の検出器で検出することを特徴とする請求項１記載の相互作用分析方法。
【請求項５】
前記第１溶液及び／又は前記第２溶液は、複数の物質を含むことを特徴とする請求項１記載の相互作用分析方法。
【請求項６】
前記クロマトグラムは、前記第１溶液及び／又は前記第２溶液に含まれる物質の質量に基づいて検出されるマスクロマトグラムであることを特徴とする請求項１記載の相互作用分析方法。
【請求項７】
前記第１溶液及び／又は前記第２溶液は複数の物質を含み、これら複数の物質に関する多重化されたクロマトグラムを検出することを特徴とする請求項１記載の相互作用分析方法。
【請求項８】
前記第１溶液及び前記第２溶液を異なる液量で分離流路に導入することを特徴とする請求項１記載の相互作用分析方法。
【請求項９】
前記第１溶液の分離流路に対する導入量と比較して前記第２溶液の導入量を２倍以上とすることを特徴とする請求項１記載の相互作用分析方法。
【請求項１０】
分離流路に前記第１溶液の少なくとも一部を前記第２溶液の少なくとも一部よりも後に分離流路に導入する工程では、第２溶液の導入後、第１溶液の導入前に、気体又は液体の間隙試料を導入することを特徴とする請求項１記載の相互作用分析方法。
【請求項１１】
前記第１溶液及び／又は前記第２溶液は複数の液体試料からなり、これら複数の液体試料を連続して導入することを特徴とする請求項１記載の相互作用分析方法。
【請求項１２】
前記分離流路がｎ次元（ｎ≧２、整数）で構成され、（ｍ−１）次元の分離流路（２≦ｍ≦ｎ、整数）から溶出した分画をｍ次元目の分離流路に導入する工程をｍ＝２からｍ＝ｎまで繰り返し、
上記クロマトグラムを検出する工程では、ｎ次元の分離流路から溶出する物質に関するクロマトグラムを検出することを特徴とする請求項１記載の相互作用分析方法。
【請求項１３】
（ｍ−１）次元の分離流路から溶出した分画に前記第１溶液に含まれる物質が含まれている場合には、ｍ次元の分離流路に第２溶液を導入した後に当該分画を導入し、
（ｍ−１）次元の分離流路から溶出した分画に前記第２溶液に含まれる物質が含まれている場合には、ｍ次元の分離流路に第１溶液を導入する前に当該分画を導入することを特徴とする請求項１２記載の相互作用分析方法。
【請求項１４】
（ｍ−１）次元の分離流路から溶出した分画に前記第１溶液に含まれる物質が含まれている場合には、ｍ次元の分離流路に第２溶液を所定の間隔で導入するとともに当該分画を導入し、
（ｍ−１）次元の分離流路から溶出した分画に前記第２溶液に含まれる物質が含まれている場合には、ｍ次元の分離流路に第１溶液を所定の間隔で導入するとともに当該分画を導入することを特徴とする請求項１２記載の相互作用分析方法。
【請求項１５】
前記第１溶液の少なくとも一部を前記第２溶液の少なくとも一部よりも後に分離流路に導入する工程では、前記第１溶液及び前記第２溶液の導入量が１０μＬ以下であることを特徴とする請求項１記載の相互作用分析方法。
【請求項１６】
前記第１溶液の少なくとも一部を前記第２溶液の少なくとも一部よりも後に分離流路に導入する工程では、前記第１溶液及び前記第２溶液の導入量が３μＬ以下であることを特徴とする請求項１記載の相互作用分析方法。
【請求項１７】
溶液に含まれる物質群を分離して溶出する分離流路を有する分離装置と、
前記分離流路からの溶出時間が早い物質を含む第１溶液及び前記分離流路からの溶出時間が遅い物質を含む第２溶液と有する容器部と、
前記容器部から前記分離流路に対して、前記第１溶液の少なくとも一部を前記第２溶液の少なくとも一部よりも後に分離流路に導入する導入装置と、
少なくとも前記導入装置の駆動制御を行う制御装置とを備え、
前記制御装置は、分離流路に第２溶液及び第１溶液の順で導入するように前記導入装置を制御することを特徴とする相互作用分析装置。
【請求項１８】
前記分離流路から溶出した物質のクロマトグラムを検出する検出装置を更に備えることを特徴とする請求項１７記載の相互作用分析装置。
【請求項１９】
前記分離装置は、サイズ排除クロマトグラフィー装置、イオン交換クロマトグラフィー装置、アフィニティークロマトグラフィー装置、吸着クロマトグラフィー、疎水性クロマトグラフィー装置、ヒドロキシアパタイトクロマトグラフィー装置、金属キレートクロマトグラフィー装置、電気泳動管装置及び電気浸透流管装置からなる群から選ばれる少なくとも１のクロマトグラフィー装置であることを特徴とする請求項１７記載の相互作用分析装置。
【請求項２０】
前記検出装置は、質量検出器、分光検出器、ＵＶ検出器、蛍光検出器、発光検出器、屈折検出器及び電気化学検出器からなる群から選ばれる少なくとも１の検出器であることを特徴とする請求項１８記載の相互作用分析方法。
【請求項２１】
前記制御装置は、第２溶液の導入後、第１溶液の導入前に、気体又は液体の間隙試料を導入するように前記導入装置を制御することを特徴とする請求項１７記載の相互作用分析装置
【請求項２２】
前記容器部は、複数の第１溶液及び／又は複数の第２溶液を備えることを特徴とする請求項１７記載の相互作用分析装置。
【請求項２３】
前記分離装置はｎ次元（ｎ≧２、整数）で構成された分離流路を有し、
前記制御装置は、（ｍ−１）次元の分離流路（２≦ｍ≦ｎ、整数）から溶出した分画をｍ次元目の分離流路に導入する工程をｍ＝２からｍ＝ｎまで繰り返すように制御することを特徴とする請求項１７記載の相互作用分析装置。
【請求項２４】
前記制御装置は、（ｍ−１）次元の分離流路から溶出した分画に前記第１溶液に含まれる物質が含まれている場合には、ｍ次元の分離流路に第２溶液を導入した後に当該分画を導入し、（ｍ−１）次元の分離流路から溶出した分画に前記第２溶液に含まれる物質が含まれている場合には、ｍ次元の分離流路に第１溶液を導入する前に当該分画を導入するように制御することを特徴とする請求項２３記載の相互作用分析装置。
【請求項２５】
前記制御装置は、（ｍ−１）次元の分離流路から溶出した分画に前記第１溶液に含まれる物質が含まれている場合には、ｍ次元の分離流路に第２溶液を所定の間隔で導入するとともに当該分画を導入し、
（ｍ−１）次元の分離流路から溶出した分画に前記第２溶液に含まれる物質が含まれている場合には、ｍ次元の分離流路に第１溶液を所定の間隔で導入するとともに当該分画を導入するように制御することを特徴とする請求項２３記載の相互作用分析装置。
【請求項２６】
前記第１溶液及び前記第２溶液の導入量が１０μＬ以下であることを特徴とする請求項１７記載の相互作用分析装置。
【請求項２７】
前記第１溶液及び前記第２溶液の導入量が３μＬ以下であることを特徴とする請求項１７記載の相互作用分析方法。
【発明の詳細な説明】
【技術分野】
【０００１】  本発明は、分子間相互作用を分析する際に適用される相互作用分析方法及び相互作用分析装置に関する。
【背景技術】
【０００２】  タンパク質間、タンパク質−ＤＮＡ間あるいはタンパク質−低分子化合物間などの分子間における相互作用の分析は、生体分子の機能や医薬品の作用を解明する上で欠くことができない。分子間相互作用の分析方法としては、従来から各種知られているが、そのほとんどはいずれかの分子を標識するかあるいはいずれかの分子を担体に固定する必要があった。【０００３】  一方で、近年、遺伝子配列の高速解読技術や質量分析計によるタンパク質の高速同定技術を背景としてゲノミクスおよびプロテオミクスという分野が著しく進展している。また、これらの技術を背景として、医薬品などの低分子化学物質と遺伝子発現あるいはタンパク質との相互作用を鳥瞰的に理解しようとするケミカルジェノミクスという分野も開拓されている。これらの分野においては、多数の分子間相互作用を高感度にハイスループットに微量分析できる手法が求められている。特に高速化および非特異的な影響を回避する観点から、非修飾かつ非固定で分子間相互作用を多重解析できる手法が望まれている。【０００４】  非修飾かつ非固定で２種の分子間相互作用を分析する手法として、クロマトグラフィーを用いた手法が知られている。例えば、Ｓｔｅｖｅｎｓ  Ｆ．Ｊ．（特許文献１）は、２種の生体高分子間の相互作用をサイズ排除クロマトグラフィーの吸光度クロマトグラムから決定する方法を開示している。すなわち、２種のタンパク質分子の混合物における吸光度クロマトグラムと、それぞれのタンパク質分子単独における吸光度クロマトグラムの算術和とを比較し、複合体が形成されているか否かを判定するものである。【０００５】  また、非特許文献１あるいは非特許文献２には、タンパク質と低分子化合物の混合物をスピンカラム方式のゲルろ過カラムに通し、そのタンパク質分画に含まれる低分子化合物を質量分析計で同定する相互作用分析方法が報告されている。さらに、特許文献２には、標的分子とリガンドとの混合物を第一のサイズ排除クロマトグラフィーで分離し、標的分子とリガンドとの複合体を分取して解離させ、第二のサイズ排除媒体を通して標的分子とリガンドとを分離した後、質量分析計を用いてリガンドを同定する手法が開示されている。【０００６】  非修飾かつ非固定で２種の分子間相互作用を分析する別の手法としては、特許文献３として、競合結合とキャピラリ電気泳動法（ＣＥ）とを組み合わせた方法が報告されている。すなわち、関心のある検出可能な標的分子（タンパク質など）及びこの標的分子と強く結合してＣＥにおける泳動パターンを変化させる既知の強結合競合配位子（医薬品化合物など）を、試験試料と混合してキャピラリ電気泳動法に供し、未結合の標的分子に起因するピークの増大あるいは強結合競合配位子と複合体を形成している標的分子のピークの減少から、標的分子と結合する成分を含有する試験試料をスクリーニングする方法である。【０００７】  また、特許文献４には、標的分子と試験試料の混合液の第一プラグと、蛍光標識された強結合競合リガンドの第二プラグ若しくは蛍光標識された強結合競合リガンドの第一プラグと、標的分子と、試験試料の混合液の第二プラグとを、キャピラリ電気泳動に連続的に導入し、第二プラグが第一プラグをキ���ピラリ内で追い越し、蛍光検出部で作成された競合リガンドの泳動パターンから、標的分子と試験試料との相互作用を判定する手法が開示されている。
【特許文献１】米国特許公報４，７６２，６１７
【非特許文献１】Ｙ．Ｄｕｎａｙｅｖｓｋｉｙ  ｅｔ  ａｌ．，Ｒａｐｉｄ  Ｃｏｍｍ．Ｍａｓｓ  Ｓｐｅｃｔｒｏｍｅｔｒｙ，ｖｏｌ．１１，１１７８−１１８４（１９９７）
【非特許文献２】Ｆ．Ｊ．Ｍｏｙ  ｅｔ  ａｌ．，Ａｎａｌ．Ｃｈｅｍ．，ｖｏｌ．７３，５７１−５８１（２００１）
【特許文献２】国際公開公報ＷＯ  ００／４７９９９
【特許文献３】特許公表公報第２００２−５０８５１５号
【特許文献４】特許公表公報第２００３−５０２６６５号
【発明の開示】
【発明が解決しようとする課題】
【０００８】  上記のクロマトカラムあるいは電気泳動管などの分離流路を用いた分子間相互作用の分析技術においては、相互作用を検定される物質同士、例えば標的分子と試験試料とをあらかじめ混合した後に分離流路に導入されていた。そのため、多数の物質間の相互作用を検定する場合には、多数の物質同士を互いに混合したサンプル液をあらかじめ調製しておく必要があった。これは、多数の物質を検定する場合に煩雑な作業となるだけでなく、分析の微量化の面でも大きな制約となっていた。【０００９】  例えば、１００種類の第一物質と１００種類の第二物質と間の相互作用を組み合わせ検定したい場合、１００×１００＝１０，０００通りの混合液をあらかじめ調製し、この１０，０００通りのサンプルをオートインジェクターなどにセットして分離流路に逐次導入して分析することになる。この準備作業は物質数が多くなればなるほど負担が大きくなり、多量のサンプルを並べうる大規模なオートインジェクターが必要となる。【００１０】  さらに、分析に要するサンプル量の微量化の観点からも次のような問題点がある。例えば、オートインジェクターを用いて正確にサンプルを注入するにはサンプル管に過剰量のサンプルが必要であるため、サンプル管からオートインジェクターが各サンプルを１μＬ採取してインジェクトする場合においても、サンプル管には少なくとも数μＬ以上のサンプル液を準備しておく必要がある。その上、数μＬオーダーの微量なサンプルの場合、多数のサンプルを分析する待ち時間の間に、蒸発などによるサンプル液の濃度変化や消失の危険性があるため、さらに数倍のサンプル液量が望ましい。そのため、多数物質間の組み合わせ検定の場合、必要となるサンプル量は、実際にインジェクターが注入するサンプル量の数倍〜数十倍を要することとなり、非常に無駄が多かった。また、シリンジでサンプルを吸引してインジェクションバルブに注入する一般的なインジェクターでは、最小採取量は１μＬ程度であり、これより微量なサンプル液量での分子間相互作用の組み合わせ検定を効率よく実施する手法が望まれていた。【００１１】  また、分析に供するサンプル濃度を低減して必要サンプル量を抑制しようとした場合も、検出器における検出感度に依存するため制約があった。例えば、非標識物質を識別できる利点がある質量分析計を検出器として用いた場合も、イオン化しづらい化合物は濃度を低減すると良好なマスクロマトグラムが得られなくなるという問題があった。このサンプル濃度は多重化の際にも制約となりうる。例えば、質量分析計が混合物中でも個々の物質をその質量で識別できるという特徴を活かして、分析に供する物質を多重化してスループットを向上させる手法が用いられているが、分析時に高い物質濃度が要求される場合、その物質の多重化度に限界が生じていた。すなわち、相互作用解析に供する２つの物質の内、少なくとも片方の物質が１／１０の低濃度で解析可能となれば、その物質の多重化度を約１０倍向上させることが可能となり、スループットが向上するだけでなく、もう片方の物質のサンプル必要量が約１／１０に低減できると期待される。従って、クロマトカラムあるいは電気泳動管などの分離流路を用いた分子間相互作用の分析技術においては、検出感度を向上する有効な手段が強く求められていたのである。【００１２】  そこで、本発明は、上述したような従来の相互作用分析方法における実状に鑑み、極微量なサンプル量でハイスループットに解析を行うことができる相互作用分析方法及び相互作用分析装置を提供することを目的としている。
【課題を解決するための手段】
【００１３】  上述した目的を達成した本発明は以下を包含する。【００１４】（１）分離流路からの溶出時間が早い物質を含む第１溶液と、当該分離流路からの溶出時間が遅い物質を含む第２溶液とを、前記第１溶液の少なくとも一部を前記第２溶液の少なくとも一部よりも後に分離流路に導入する工程と、上記分離流路から溶出する物質に関するクロマトグラムを検出する工程とを含む相互作用分析方法。【００１５】（２）検出したクロマトグラムと、第１溶液に含まれる物質及び／又は第２溶液に含まれる物質が他の物質と相互作用していない場合のクロマトグラムとを比較する工程を更に含み、これらクロマトグラム間に差異が生じている場合には、第１溶液に含まれる物質と第２溶液に含まれる物質との間に相互作用が存在すると判定することを特徴とする（１）記載の相互作用分析方法。【００１６】（３）前記分離流路が、サイズ排除クロマトグラフィー、イオン交換クロマトグラフィー、アフィニティークロマトグラフィー、吸着クロマトグラフィー、疎水性クロマトグラフィー、ヒドロキシアパタイトクロマトグラフィー、金属キレートクロマトグラフィー、電気泳動管及び電気浸透流管からなる群から選ばれる少なくとも１のクロマトグラフィーであることを特徴とする（１）記載の相互作用分析方法。【００１７】（４）前記クロマトグラムを、質量検出器、分光検出器、ＵＶ検出器、蛍光検出器、発光検出器、屈折検出器及び電気化学検出器からなる群から選ばれる少なくとも１の検出器で検出することを特徴とする（１）記載の相互作用分析方法。【００１８】（５）前記第１溶液及び／又は前記第２溶液は、複数の物質を含むことを特徴とする（１）記載の相互作用分析方法。【００１９】（６）前記クロマトグラムは、前記第１溶液及び／又は前記第２溶液に含まれる物質の質量に基づいて検出されるマスクロマトグラムであることを特徴とする（１）記載の相互作用分析方法。【００２０】（７）前記第１溶液及び／又は前記第２溶液は複数の物質を含み、これら複数の物質に関する多重化されたクロマトグラムを検出することを特徴とする（１）記載の相互作用分析方法。【００２１】（８）前記第１溶液及び前記第２溶液を異なる液量で分離流路に導入することを特徴とする（１）記載の相互作用分析方法。【００２２】（９）前記第１溶液の分離流路に対する導入量と比較して前記第２溶液の導入量を２倍以上とすることを特徴とする（１）記載の相互作用分析方法。【００２３】（１０）前記第１溶液の少なくとも一部を前記第２溶液の少なくとも一部よりも後に分離流路に導入する工程では、第２溶液の導入後、第１溶液の導入前に、気体又は液体の間隙試料を導入することを特徴とする（１）記載の相互作用分析方法。【００２４】（１１）前記第１溶液及び／又は前記第２溶液は複数の液体試料からなり、これら複数の液体試料を連続して導入することを特徴とする（１）記載の相互作用分析方法。【００２５】（１２）前記分離流路がｎ次元（ｎ≧２、整数）で構成され、（ｍ−１）次元の分離流路（２≦ｍ≦ｎ、整数）から溶出した分画をｍ次元目の分離流路に導入する工程をｍ＝２からｍ＝ｎまで繰り返し、上記クロマトグラムを検出する工程では、ｎ次元の分離流路から溶���する物質に関するクロマトグラムを検出することを特徴とする（１）記載の相互作用分析方法。【００２６】（１３）（ｍ−１）次元の分離流路から溶出した分画に前記第１溶液に含まれる物質が含まれている場合には、ｍ次元の分離流路に第２溶液を導入した後に当該分画を導入し、（ｍ−１）次元の分離流路から溶出した分画に前記第２溶液に含まれる物質が含まれている場合には、ｍ次元の分離流路に第１溶液を導入する前に当該分画を導入することを特徴とする（１２）記載の相互作用分析方法。【００２７】（１４）（ｍ−１）次元の分離流路から溶出した分画に前記第１溶液に含まれる物質が含まれている場合には、ｍ次元の分離流路に第２溶液を所定の間隔で導入するとともに当該分画を導入し、（ｍ−１）次元の分離流路から溶出した分画に前記第２溶液に含まれる物質が含まれている場合には、ｍ次元の分離流路に第１溶液を所定の間隔で導入するとともに当該分画を導入することを特徴とする（１２）記載の相互作用分析方法。【００２８】（１５）前記第１溶液の少なくとも一部を前記第２溶液の少なくとも一部よりも後に分離流路に導入する工程では、前記第１溶液及び前記第２溶液の導入量が１０μＬ以下、好ましくは３μＬ以下であることを特徴とする請求項１記載の相互作用分析方法。【００２９】  また、本発明を適用した相互作用分析装置は、上記相互作用分析方法に含まれる各工程を実施することができる。例えば、相互作用分析装置は、溶液に含まれる物質群を分離して溶出する分離流路を有する分離装置と、前記分離流路からの溶出時間が早い物質を含む第１溶液及び前記分離流路からの溶出時間が遅い物質を含む第２溶液と有する容器部と、前記容器部から前記分離流路に対して、第１溶液及び第２溶液を導入する導入装置と、少なくとも前記導入装置の駆動制御を行う制御装置とを備える。そして、相互作用分析装置において、前記制御装置は前記第１溶液の少なくとも一部を前記第２溶液の少なくとも一部よりも後に分離流路に導入するように前記導入装置を制御する。【００３０】  さらに、相互作用分析装置は、前記分離流路から溶出した物質のクロマトグラムを検出する検出装置を更に備えることが好ましい。【００３１】  前記分離装置としては、サイズ排除クロマトグラフィー装置、イオン交換クロマトグラフィー装置、アフィニティークロマトグラフィー装置、吸着クロマトグラフィー、疎水性クロマトグラフィー装置、ヒドロキシアパタイトクロマトグラフィー装置、金属キレートクロマトグラフィー装置、電気泳動管装置及び電気浸透流管装置からなる群から選ばれる少なくとも１のクロマトグラフィー装置を例示できる。【００３２】  前記検出装置としては、質量検出器、分光検出器、ＵＶ検出器、蛍光検出器、発光検出器、屈折検出器及び電気化学検出器からなる群から選ばれる少なくとも１の検出器を例示できる。【００３３】  前記制御装置は、第２溶液の導入後、第１溶液の導入前に、気体又は液体の間隙試料を導入するように前記導入装置を制御することもできる。【００３４】  前記容器部は、複数の第１溶液及び／又は複数の第２溶液を備えることもできる。【００３５】  前記分離装置としては、ｎ次元（ｎ≧２、整数）で構成された分離流路を有���、前記制御装置は、（ｍ−１）次元の分離流路（２≦ｍ≦ｎ、整数）から溶出した分画をｍ次元目の分離流路に導入する工程をｍ＝２からｍ＝ｎまで繰り返すように制御するものであっても良い。このとき、前記制御装置は、（ｍ−１）次元の分離流路から溶出した分画に前記第１溶液に含まれる物質が含まれている場合には、ｍ次元の分離流路に第２溶液を導入した後に当該分画を導入し、（ｍ−１）次元の分離流路から溶出した分画に前記第２溶液に含まれる物質が含まれている場合には、ｍ次元の分離流路に第１溶液を導入する前に当該分画を導入するように制御することもできる。【００３６】  また、前記制御装置は、（ｍ−１）次元の分離流路から溶出した分画に前記第１溶液に含まれる物質が含まれている場合には、ｍ次元の分離流路に第２溶液を所定の間隔で導入するとともに当該分画を導入し、（ｍ−１）次元の分離流路から溶出した分画に前記第２溶液に含まれる物質が含まれている場合には、ｍ次元の分離流路に第１溶液を所定の間隔で導入するとともに当該分画を導入するように制御することもできる。【００３７】  さらに、前記分離流路に対する前記第１溶液及び前記第２溶液の導入量は、１０μＬ以下、好ましくは３μＬ以下とすることができる。
【発明の効果】
【００３８】  本発明によれば、分析対象の物質を含む溶液が極微量であっても、当該溶液をロスすることなくハイスループットに解析を行うことができる相互作用分析方法及び相互作用分析装置を提供することができる。【００３９】  本明細書は本願の優先権の基礎である日本国特許出願２００３−３５４０００号の明細書および／または図面に記載される内容を包含する。
【図面の簡単な説明】
【００４０】
【図１】本発明を適用した相互作用分析装置の概略を示す構成図である。
【図２−１】本発明を適用した相互作用分析装置を用いて、第１溶液及び第２溶液を分離流路に導入する過程を模式的に示す図である。
【図２−２】本発明を適用した相互作用分析装置を用いて、第１溶液及び第２溶液を分離流路に導入する過程を模式的に示す図である。
【図３−１】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図３−２】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図３−３】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図３−４】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図３−５】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図３−６】本発明を適用した相互作用分析方法により、第１溶液に含まれる物質（ＦＫ５０６）と第２溶液に含まれる物質（ヒトＦＫＢＰ１２）との相互作用を分析した結果を示す特性図である。
【図４−１】本発明を適用した相互作用分析方法により、第１溶液に含まれる物質（Ｊ−８）と第２溶液に含まれる物質（ウシＣａｌｍｏｄｕｌｉｎ）との相互作用を分析した結果を示す特性図である。
【図４−２】本発明を適用した相互作用分析方法により、第１溶液に含まれる物質（Ｊ−８）と第２溶液に含まれる物質（ウシＣａｌｍｏｄｕｌｉｎ）との相互作用を分析した結果を示す特性図である。
【図４−３】本発明を適用した相互作用分析方法により、第１溶液に含まれる物質（Ｊ−８）と第２溶液に含まれる物質（ウシＣａｌｍｏｄｕｌｉｎ）との相互作用を分析した結果を示す特性図である。
【図５−１】本発明を適用した相互作用分析方法により、第１溶液に含まれる物質と第２溶液に含まれる物質群との相互作用を分析した結果を示す特性図である。
【図５−２】本発明を適用した相互作用分析方法により、第１溶液に含まれる物質と第２溶液に含まれる物質群との相互作用を分析した結果を示す特性図である。
【図５−３】本発明を適用した相互作用分析方法により、第１溶液に含まれる物質と第２溶液に含まれる物質群との相互作用を分析した結果を示す特性図である。
【図５−４】本発明を適用した相互作用分析方法により、第１溶液に含まれる物質と第２溶液に含まれる物質群との相互作用を分析した結果を示す特性図である。
【図６−１】本発明を適用した相互作用分析方法により、２つの液体試料からなる第１溶液と第２溶液（ＦＫ５０６を含む）とをカラムに導入して、相互作用分析を行った結果を示す特性図である。
【図６−２】本発明を適用した相互作用分析方法により、２つの液体試料からなる第１溶液と第２溶液（ＦＫ５０６を含む）とをカラムに導入して、相互作用分析を行った結果を示す特性図である。
【図６−３】本発明を適用した相互作用分析方法により、２つの液体試料からなる第１溶液と第２溶液（ＦＫ５０６を含む）とをカラムに導入して、相互作用分析を行った結果を示す特性図である。
【図６−４】本発明を適用した相互作用分析方法により、２つの液体試料からなる第１溶液と第２溶液（ＦＫ５０６を含む）とをカラムに導入して、相互作用分析を行った結果を示す特性図である。
【図６−５】本発明を適用した相互作用分析方法により、２つの液体試料からなる第１溶液と第２溶液（ＦＫ５０６を含む）とをカラムに導入して、相互作用分析を行った結果を示す特性図である。
【図７−１】本発明を適用した相互作用分析方法により、２つの液体試料からなる第１溶液と第２溶液（Ｊ−８を含む）とをカラムに導入して、相互作用分析を行った結果を示す特性図である。
【図７−２】本発明を適用した相互作用分析方法により、２つの液体試料からなる第１溶液と第２溶液（Ｊ−８を含む）とをカラムに導入して、相互作用分析を行った結果を示す特性図である。
【図７−３】本発明を適用した相互作用分析方法により、２つの液体試料からなる第１溶液と第２溶液（Ｊ−８を含む）とをカラムに導入して、相互作用分析を行った結果を示す特性図である。
【図８−１】本発明を適用した相互作用分析方法により、３つの液体試料からなる第１溶液と第２溶液（ＦＫ５０６を含む）とをカラムに導入して、相互作用分析を行った結果を示す特性図である。
【図８−２】本発明を適用した相互作用分析方法により、３つの液体試料からなる第１溶液と第２溶液（ＦＫ５０６を含む）とをカラムに導入して、相互作用分析を行った結果を示す特性図である。
【図８−３】本発明を適用した相互作用分析方法により、３つの液体試料からなる第１溶液と第２溶液（ＦＫ５０６を含む）とをカラムに導入して、相互作用分析を行った結果を示す特性図である。
【図８−４】本発明を適用した相互作用分析方法により、３つの液体試料からなる第１溶液と第２溶液（ＦＫ５０６を含む）とをカラムに導入して、相互作用分析を行った結果を示す特性図である。
【図８−５】本発明を適用した相互作用分析方法により、３つの液体試料からなる第１溶液と第２溶液（ＦＫ５０６を含む）とをカラムに導入して、相互作用分析を行った結果を示す特性図である。
【図９−１】本発明を適用した相互作用分析方法により、３つの液体試料からなる第１溶液と第２溶液（Ａｓｃｏｍｙｃｉｎを含む）とをカラムに導入して、相互作用分析を行った結果を示す特性図である。
【図９−２】本発明を適用した相互作用分析方法により、３つの液体試料からなる第１溶液と第２溶液（Ａｓｃｏｍｙｃｉｎを含む）とをカラムに導入して、相互作用分析を行った結果を示す特性図である。
【図９−３】本発明を適用した相互作用分析方法により、３つの液体試料からなる第１溶液と第２溶液（Ａｓｃｏｍｙｃｉｎを含む）とをカラムに導入して、相互作用分析を行った結果を示す特性図である。
【図９−４】本発明を適用した相互作用分析方法により、３つの液体試料からなる第１溶液と第２溶液（Ａｓｃｏｍｙｃｉｎを含む）とをカラムに導入して、相互作用分析を行った結果を示す特性図である。
【図９−５】本発明を適用した相互作用分析方法により、３つの液体試料からなる第１溶液と第２溶液（Ａｓｃｏｍｙｃｉｎを含む）とをカラムに導入して、相互作用分析を行った結果を示す特性図である。
【図１０−１】本発明を適用した相互作用分析方法により、分離流路で分離した第１溶液を導入するとともに第２溶液を一定の間隔で繰り返して分離流路に導入して、相互作用分析を行った結果を示す特性図である。
【図１０−２】本発明を適用した相互作用分析方法により、分離流路で分離した第１溶液を導入するとともに第２溶液を一定の間隔で繰り返して分離流路に導入して、相互作用分析を行った結果を示す特性図である。
【図１０−３】本発明を適用した相互作用分析方法により、分離流路で分離した第１溶液を導入するとともに第２溶液を一定の間隔で繰り返して分離流路に導入して、相互作用分析を行った結果を示す特性図である。
【図１０−４】本発明を適用した相互作用分析方法により、分離流路で分離した第１溶液を導入するとともに第２溶液を一定の間隔で繰り返して分離流路に導入して、相互作用分析を行った結果を示す特性図である。
【図１０−５】本発明を適用した相互作用分析方法により、分離流路で分離した第１溶液を導入するとともに第２溶液を一定の間隔で繰り返して分離流路に導入して、相互作用分析を行った結果を示す特性図である。
【図１０−６】本発明を適用した相互作用分析方法により、分離流路で分離した第１溶液を導入するとともに第２溶液を一定の間隔で繰り返して分離流路に導入して、相互作用分析を行った結果を示す特性図である。
【発明を実施するための最良の形態】
【００４１】  以下、本発明を詳細に説明する。【００４２】１．相互作用分析方法
本発明を適用することによって、物質間の相互作用を分析する方法（以下、単に「相互作用分析方法」と称する）を提供することができる。相互作用分析方法では、先ず、分離流路からの溶出時間が早い物質を含む第１溶液と分離流路からの溶出時間が遅い物質を含む第２溶液とを、分離流路に第２溶液及び第１溶液の順で導入する。また、相互作用分析方法では、第２溶液の一部を第１溶液に含まれる物質（溶出時間の早い物質）よりも後に分離流路に導入すればよく、例えば、第２溶液を所定の間隔で分離流路に導入するとともに、第２溶液を導入している間に第１の溶液を導入してもよい。【００４３】  言い換えると、本相互作用分析方法では、溶出時間が早い物質が、分離流路内で溶出時間が遅い物質を追い越すよう、第１溶液及び第２溶液を分離流路に導入する。【００４４】  ここで、分離流路とは、物質をサイズ、イオン強度、特定の物質に対する親和性、疎水性等の物性に従って分離して溶出することができるものである。例えば、分離流路としては、サイズ排除クロマトグラフィー装置、イオン交換クロマトグラフィー装置、アフィニティークロマトグラフィー装置、吸着クロマトグラフィー装置、疎水性クロマトグラフィー装置、ヒドロキシアパタイトクロマトグラフィー装置及び金属キレートクロマトグラフィー装置におけるカラムを挙げることができる。また、分離流路としては、電気泳動管装置における泳動管及び電気浸透流管装置における浸透流管等を挙げることができる。【００４５】  第１溶液に含まれる物質及び第２溶液に含まれる物質としては、特に限定されず、各種の低分子化合物、タンパク質を挙げることができる。例えば、第２溶液に低分子化合物（リガンド物質）が含まれる場合、第１溶液に含まれる物質としては、低分子化合物と比較して分離流路からの溶出速度の速いタンパク質（標的物質）を使用する。ここで、物質における溶出時間は、分離流路の種類に依存する。したがって、第１溶液に含まれる物質と第２溶液に含まれる物質とにおいて、それぞれの溶出速度は分離流路の種類によっては逆転することも当然あり得る。【００４６】  タンパク質と低分子化合物との相互作用を分析するような場合、これら物質間の分子量の差異が大きいため、分離流路としてはサイズ排除クロマトグラフィーが好適である。この場合、分子量の大きな物質を含む溶液を第１溶液として、分子量の小さな物質含む溶液を第２溶液とすればよい。【００４７】  また、分析対象の２つの物質において荷電の差異が大きい場合には、分離流路としてはイオン交換クロマトグラフィー或いは電気泳動管が好適である。さらに、分離流路に充填された担体との間で相互作用する物質を分析対象とする場合には、当該物質と担体との相互作用の影響を考慮して物質の溶出速度を見積もり、第１溶液と第２溶液を調製する。例えば、グリセロプロピル基等のジオール基を化学結合したシリカ系のサイズ排除クロマトグラフィー用カラムでは、タンパク質のような高分子物質は早く溶出される一方、低分子化合物はサイズ排除効果によるゲル内拡散と共に、化合物によってはカラム担体と化合物との間に比較的弱い吸着効果が認められる場合があり、これらの効果によって３０ｍｍ以下の短い分離流路長で��ほとんどすべての低分子化合物が遅く溶出される。したがって、グリセロプロピル基等のジオール基を化学結合したシリカ系のサイズ排除クロマトグラフィー用カラムを分離流路として使用する場合には、低分子化合物を含む溶液を第２溶液とし、タンパク質を含む溶液を第１溶液とする。グリセロプロピル基等のジオール基を化学結合したシリカ系のサイズ排除クロマトグラフィー用カラムは、多くの低分子化合物とタンパク質との相互作用解析に適用範囲が広いため、分離流路として使用することが好ましい。【００４８】  本相互作用分析方法において、分離流路に第２溶液及び第１溶液の順で導入することによって、第１溶液に含まれる物質は第２溶液に含まれる物質を分離流路内で追い越すこととなる。したがって、第１溶液に含まれる物質と第２溶液に含まれる物質とは、分離流路内で接触することとなる。【００４９】  第２溶液及び第１溶液を分離流路にこの順で導入する場合、分離流路の種類、長さ、導入速度等を考慮して、後から導入する第１溶液に含まれる物質が第２溶液に含まれる物質よりも速く溶出するようにしなくてはならない。言い換えると、後から導入する第１溶液に含まれる物質が第２溶液に含まれる物質よりも速く溶出するのであれば、第２溶液と第１溶液との間に気体及び／又は液体からなる間隔試料を介在させてもよい。【００５０】  本相互作用分析方法においては、次に、分離流路から溶出する物質に関するクロマトグラムを検出する。具体的には、第１溶液に含まれる物質と第２溶液に含まれる物質とが相互作用する場合、第１溶液に含まれる物質及び／又は第２溶液に含まれる物質について、それぞれ単独で分離流路に導入した場合のクロマトグラムと異なるクロマトグラムを検出することとなる。逆に、第１溶液に含まれる物質と第２溶液に含まれる物質とが相互作用しない場合、第１溶液に含まれる物質及び／又は第２溶液に含まれる物質について、それぞれ単独で分離流路に導入した場合のクロマトグラムと同様なクロマトグラムを検出することとなる。【００５１】  ここで、クロマトグラムを検出するための装置としては、特に限定されないが、例えば、質量検出器、分光検出器、ＵＶ検出器、蛍光検出器、発光検出器、屈折検出器、電気化学検出器を例示できる。【００５２】  ところで、第１溶液及び／又は第２溶液には複数種類の物質が含まれていてもよい。すなわち、本相互作用分析方法においては、複数種類の物質を含む第１溶液と複数種類の物質を含む第２溶液とを使用してもよいし、単一の物質を含む第１溶液と複数種類の物質を含む第２溶液とを使用してもよいし、複数種類の物質を含む第１溶液と単一の物質を含む第２溶液とを使用してもよい。【００５３】  ここで、第１溶液及び／又は第２溶液に含まれる複数種類の物質とは、分析対象物質を意味する。したがって、単一の分析対象物質と当該分析対象物質以外の夾雑物質とを含む場合には、「単一の物質を含む」と呼ぶこととする。【００５４】  第１溶液に複数種類の物質を含む場合には、これら全ての物質のうちで第２溶液に含まれる物質よりも速く溶出する物質について、第２溶液に含まれる物質との相互作用を分析することができる。言い換えると、第１溶液に含まれる全ての物質が第２溶液に含まれる全ての物質よりも速く分離流路から溶出する場合には、第１溶液に含まれる全ての物質と第２溶液に含まれる全ての物質との相互作用を分析することができる。【００５５】  なお、第１溶液及び／又は第２溶液に複数種類の物質を含むような場合であっても、上述したように、分離流路から溶出する物質に関するクロマトグラムを検出することで、第１溶液に含まれる物質と第２溶液に含まれる物質との相互作用を分析することができる。第１溶液及び／又は第２溶液に複数種類の物質を含む場合、検出するクロマトグラムは、複数種類の物質に対応して多重化されることとなる。また、多重化されたクロマトグラムを検出する装置としても、上述した全ての検出装置を使用することができる。【００５６】  特に、第２溶液に複数種類のタンパク質を含み、第１溶液に複数種類の低分子化合物を含むような場合には、クロマトグラムを検出する装置としては質量分析器を使用することが好ましい。質量分析装置によれば、複数の化合物を混合して多重化しても個々の化合物をその質量から識別できるため、汎用性とスループットの点で好適である。【００５７】  ところで、第１溶液及び／又は第２溶液は、それぞれ単一の物質又は複数種類の物質を含む複数の液体試料から構成されてもよい。すなわち、本相互作用分析方法においては、複数の液体試料からなる第１溶液と複数の液体試料からなる第２溶液とを使用してもよいし、単一の液体試料からなる第１溶液と複数の液体試料からなる第２溶液とを使用してもよいし、複数の液体試料からなる第１溶液と単一の液体試料からなる第２溶液とを使用してもよい。【００５８】  例えば、複数の液体試料からなる第１溶液と複数の液体試料からなる第２溶液とを使用する場合、本相互作用分析方法においては、複数の液体試料からなる第２溶液を全て分離流路に導入した後、複数の液体試料からなる第１溶液を分離流路に導入することになる。第１溶液又は第２溶液を導入する際には、各液体試料を気体及び／又は液体からなる間隙試料を介して分離流路に導入してもよいし、連続的に分離流路に導入してもよい。【００５９】  予め、第１溶液及び／又は第２溶液として複数の液体試料を準備しているような場合には、これら複数の液体試料を混合することで単一の液体試料からなる第１溶液及び／又は第２溶液とすることもできるが、複数の液体試料を混合することなく複数の液体試料のまま第１溶液及び／又は第２溶液とすることもできる。例えば、予め準備した複数の液体試料に含まれる物質が溶解性の悪い化合物であったり、当該液体試料に含まれる物質の濃度が低いような場合には、複数の液体試料を混合することなくそのまま第１溶液及び／又は第２溶液とすることが好ましい。これにより、複数の液体試料に含まれる物質が析出しまうことや、解析対象の物質がより低濃度化してしまうことを防止できる。【００６０】  なお、この場合においても、上述したように、分離流路から溶出する物質に関するクロマトグラムを検出することで、第１溶液に含まれる物質と第２溶液に含まれる物質との相互作用を分析することができる。第１溶液及び／又は第２溶液が複数の液体試料から構成されている場合、検出するクロマトグラムは、各液体試料に含まれる物質に対応して多重化されることとなる。また、多重化されたクロマトグラムを検出する装置としても、上述した全ての検出装置を使用することができる。この場合には、液体試料に含まれる物質を希釈することなく連続して分離流路に導入することが可能であり、多重化分析と同様にスループットを向上することができる。【００６１】  ところで、第１溶液及び第２溶液は、分離流路に対して等しい液量で導入されても良いが、互いに異なる液量で導入されてもよい。例えば、第１溶液の分離流路に対する導入量と比較して第２溶液の導入量を多くする、例えば２倍以上とすることが好ましい。例えば、第２溶液に含まれる物質が低分子化合物であって、分離流路としてサイズ排除クロマトグラフィーを使用する場合、第２溶液の液量を第１溶液の液量よりも多くすると、サイズ排除効果によるゲル内拡散と共にカラム担体と低分子化合物との間の比較的弱い相互作用によって、分離流路の入り口で低分子化合物のゾーンが短縮され濃縮効果が得られる。そのため、第２溶液に含まれる低分子化合物が低濃度であるような場合でも、良好なクロマトグラムが得られ、相互作用の分析を明瞭に行うことができる。換言すると、この場合には、第２溶液に含まれる低分子化合物の濃度が低くても分析を明瞭に行えるため、複数の液体試料を混合して各液体試料に含まれている低分子化合物の濃度が相対的に低くなったとしても、明瞭に相互作用分析を行えることとなる。【００６２】  ところで、本相互作用分析方法においては、複数の分離流路を使用するものであっても良い。複数の分離流路としてｎ個（ｎ≧２、整数）の分離流路（ｎ次元の分離流路とも言う）を想定すると、本相互作用分析方法においては、（ｍ−１）次元の分離流路（２≦ｍ≦ｎ、整数）から溶出した分画をｍ次元目の分離流路に導入することとなる。このとき、最後の分離流路、すなわちこの場合、ｎ次元目の分離流路から溶出する物質に関するクロマトグラムを検出し、上述したように、第１溶液に含まれる物質と第２溶液に含まれる物質との相互作用を分析することができる。なお、複数の分離流路としては、上述したような各種クロマトグラフィーカラムや、電気泳動管、電気浸透流管等を、適宜組み合わせて使用することができる。【００６３】  例えば、１〜（ｎ−１）次元目の分離流路を利用して第１溶液を分画した場合、第２溶液をｎ次元目の分離流路に導入した後に分画した第１溶液をｎ次元目の分離流路に導入する。すなわち、この場合、１〜（ｎ−１）次元目の分離流路によって第１溶液を調製している。ここで、（ｎ−１）次元目の分離流路から溶出される第１溶液は、上述したように、複数種類の物質を含んでいてもよいし、複数の液体試料から構成されていてもよい。【００６４】  また、１〜（ｎ−１）次元目の分離流路を利用して第１溶液を分画した場合、第２溶液をｎ次元目の分離流路に所定の間隔で導入するとともに当該分画を導入してもよい。この場合、第１溶液の所定の分画に含まれる物質が、第２溶液に含まれる物質と相互作用しなければ、第２溶液に含まれる物質が所定の間隔で検出されることとなる。第１溶液の所定の分画に含まれる物質が、第２溶液に含まれる物質と相互作用すると、第２溶液に含ま���る物質がずれて検出されることとなる。したがって、この場合、第２溶液に含まれる物質を検出することによって、第２溶液に含まれる物質が相互作用する物質を含む第１溶液の分画を特定することができる。【００６５】  一方、例えば、１〜（ｎ−１）次元目の分離流路を利用して第２溶液を分画した場合、分画した第２溶液をｎ次元目の分離流路に導入した後に第１溶液をｎ次元目の分離流路に導入する。すなわち、この場合、１〜（ｎ−１）次元目の分離流路によって第２溶液を調製している。ここで、（ｎ−１）次元目の分離流路から溶出される第２溶液は、上述したように、複数種類の物質を含んでいてもよいし、複数の液体試料から構成されていてもよい。【００６６】  また、１〜（ｎ−１）次元目の分離流路を利用して第２溶液を分画した場合、第１溶液をｎ次元目の分離流路に所定の間隔で導入するとともに当該分画を導入してもよい。この場合、第２溶液の所定の分画に含まれる物質が、第１溶液に含まれる物質と相互作用しなければ、第１溶液に含まれる物質が所定の間隔で検出されることとなる。第２溶液の所定の分画に含まれる物質が、第１溶液に含まれる物質と相互作用すると、第１溶液に含まれる物質がずれて検出されることとなる。したがって、この場合、第１溶液に含まれる物質を検出することによって、第１溶液に含まれる物質が相互作用する物質を含む第２溶液の分画を特定することができる。【００６７】  上述したように、細胞の抽出液等の複雑な構成成分からなる溶液を１〜（ｎ−１）次元目の分離流路を利用して、第１溶液又は第２溶液に分画することによって、相互作用分析に供する物質群をあらかじめ分画することができ、複雑な構成成分から成る試料の詳細な相互作用分析が可能となる。【００６８】  なお、分離流路の下流に、上述したような各種クロマトグラフィーカラムや、電気泳動管、電気浸透流管等を、適宜組み合わせて接続することで、相互作用分析の後の試料をさらに分画することができる。この場合、本相互作用分析方法によって分析された相互作用を示す物質に関する詳細な解析が可能となる。【００６９】２．相互作用分析装置
本発明を適用した相互作用分析装置は、上記「１．相互作用検出方法」で説明した方法を実現することができる装置である。例えば相互作用分析装置は、図１に示すように、溶液に含まれる物質群を分離して溶出する分離流路１を有する分離装置２と、分離流路１に導入する溶液等を保持する容器部３と、容器部３から前記分離流路に対して溶液を導入する導入装置４と、分離装置２から溶出した物質のクロマトグラムを検出する検出装置５と、装置全体の動作を制御する制御装置６とを備える。なお、本相互作用分析装置は、分離装置２、溶液部３、導入装置４及び検出装置５それぞれが制御装置を有するような構成であっても良い。【００７０】  分離装置２は、分離流路１に導入される溶液に含まれる物質をサイズ、イオン強度、特定の物質に対する親和性、疎水性等の物性に従って分離することができるものであれば特に限定されない。例えば、分離装置２としては、サイズ排除クロマトグラフィー装置、イオン交換クロマトグラフィー装置、アフィニティークロマトグラフィー装置、逆相あるいは順相などの吸着クロマトグラフィー装置、疎水性クロマトグラフィー装置、ヒドロキシアパタイトクロマトグラフィー装置、金属キレートクロマトグラフィー装置、電気泳動管装置及び電気浸透流管装置からなる群から選ばれる少なくとも１のクロマトグラフィー装置を挙げることができる。ここで、分離流路１は、これら各種クロマトグラフィー装置に備わるカラムや、電気泳動管及び電気浸透流管を意味する。【００７１】  容器部３は、上記「１．相互作用検出方法」で説明した第１溶液、第２溶液、分離流路に導入する溶出液等をそれぞれ保持する複数の容器を備える。また、容器部３は、容器に保持された溶液を、後述する導入装置４に所定の液量で供給するための溶液供給装置を備える。ここで溶液供給装置としては、シリンジ等を挙げることができる。なお、溶液供給装置は、制御装置６により制御され、所定の容器から所定量の溶液を導入装置４に対して供給することができる。【００７２】  導入装置４は、例えば、分離流路１に導入する溶液を蓄えることができるサンプルループと、サンプルループに蓄えられた溶液を押し出すためのポンプ機構とを備える、いわゆるオートインジェクター装置を備える。【００７３】  検出装置５は、分離流路１の溶出側に配置され、分離流路１から溶出した物質のクロマトグラムを検出する。検出装置５は、例えば、質量検出器、分光検出器、ＵＶ検出器、蛍光検出器、発光検出器、屈折検出器、電気化学検出器から構成される。【００７４】  制御装置６は、分離装置２、容器部３、導入装置４及び検出装置５の動作を制御することによって、上記「１．相互作用検出方法」で説明した各工程を実施させる。すなわち、制御装置６は、先ず、容器部３に保持された容器から、分離流路１に対して第２溶液及び第１溶液をこの順で導入するように前記導入装置４を制御する。詳細には、例えば図２−１に示すように、第１容器１０に保持された第２溶液１１をシリンジ１２で吸引した後、所定量のエアー１３を吸引し、その後、第２容器１４に保持された第１溶液１５をシリンジ１２で吸引する。次に、シリンジ１２にエアー１３を介して吸引された第２溶液１１及び第��溶液１５を、サンプルループ１６に供給する。次に、サンプルループ１６を回動して、第２溶液１１側の端部を分離流路１の入口側に位置させる。次に、サンプルループ１６内に供給された第２溶液１１及び第１溶液１５をこの順で分離流路１に導入する。【００７５】  上記「１．相互作用分析方法」で説明したように、分離流路に第２溶液及び第１溶液の順で導入することによって、第１溶液に含まれる物質は第２溶液に含まれる物質を分離流路１内で追い越すこととなる。したがって、第１溶液に含まれる物質と第２溶液に含まれる物質とは、分離流路１内で接触することとなる。【００７６】  そして、制御装置６は、検出装置５を制御して、分離流路１から溶出した物質に関するクロマトグラムを検出する。具体的には、第１溶液に含まれる物質と第２溶液に含まれる物質とが相互作用する場合、第１溶液に含まれる物質及び／又は第２溶液に含まれる物質について、検出装置５は、それぞれ単独で分離流路に導入した場合のクロマトグラムと異なるクロマトグラムを検出することとなる。逆に、第１溶液に含まれる物質と第２溶液に含まれる物質とが相互作用しない場合、第１溶液に含まれる物質及び／又は第２溶液に含まれる物質について、検出装置５は、それぞれ単独で分離流路に導入した場合のクロマトグラムと同様なクロマトグラムを検出することとなる。【００７７】  なお、本相互作用分析装置によれば、第１溶液及び／又は第２溶液に複数種類の物質を含むような場合であっても、上述したように、分離流路１から溶出する物質に関するクロマトグラムを検出することで、第１溶液に含まれる物質と第２溶液に含まれる物質との相互作用を分析することができる。第１溶液及び／又は第２溶液に複数種類の物質を含む場合、検出するクロマトグラムは、複数種類の物質に対応して多重化されることとなる。また、多重化されたクロマトグラムを検出する装置としても、上述した全ての検出装置５を使用することができる。【００７８】  また、第１溶液及び／又は第２溶液が複数の液体試料から構成されている場合には、複数の容器に個々の液体試料を保持する。そして、制御装置６は、容器部３及び導入装置４を制御して、複数の液体試料を所定の順で分離流路１に導入させる。この場合、検出装置５で検出するクロマトグラムは、各液体試料に含まれる物質に対応して多重化されることとなる。また、多重化されたクロマトグラムを検出する装置としても、上述した全ての検出装置５を使用することができる。この場合には、液体試料に含まれる物質を希釈することなく連続して分離流路１に導入することが可能であり、多重化分析と同様にスループットを向上することができる。【００７９】  ところで、制御装置６は、第１溶液及び第２溶液を分離流路１に対して等しい液量で導入するように制御してもよいが、第１溶液及び第２溶液を異なる液量で導入するように制御してもよい。例えば、制御装置６は、第１溶液の分離流路１に対する導入量と比較して第２溶液の導入量を多くする、例えば２倍以上とするように制御することが好ましい。例えば、第２溶液に含まれる物質が低分子化合物であって、分離流路１としてサイズ排除クロマトグラフィーを使用する場合、第２溶液の液量を第１溶液の���量よりも多くすると、サイズ排除効果によるゲル内拡散と共にカラム担体と低分子化合物との間の比較的弱い吸着効果によって、分離流路１の入り口で低分子化合物のゾーンが短縮され濃縮効果が得られる。そのため、第２溶液に含まれる低分子化合物が低濃度であるような場合でも、良好なクロマトグラムが得られ、相互作用の分析を明瞭に行うことができる。換言すると、この場合には、第２溶液に含まれる低分子化合物の濃度が低くても分析を明瞭に行えるため、複数の液体試料を混合して各液体試料に含まれている低分子化合物の濃度が相対的に低くなったとしても、明瞭に相互作用分析を行えることとなる。【００８０】  ところで、本相互作用分析装置においては、分離装置２が複数の分離流路１を備えるような構成であっても良い（例えば、図２−２にｎ＝２の構成を示す。）。複数の分離流路１としてｎ個（ｎ≧２、整数）の分離流路１（ｎ次元の分離流路とも言う）を想定すると、本相互作用分析装置においては、（ｍ−１）次元の分離流路１（２≦ｍ≦ｎ、整数）から溶出した分画をｍ次元目の分離流路１に導入することとなる。このとき、最後の分離流路１、すなわちこの場合、ｎ次元目の分離流路１から溶出する物質に関するクロマトグラムを検出装置５で検出し、上述したように、第１溶液に含まれる物質と第２溶液に含まれる物質との相互作用を分析することができる。なお、複数の分離流路１としては、上述したような各種クロマトグラフィーカラムや、電気泳動管、電気浸透流管等を、適宜組み合わせて使用することができる。【００８１】  例えば、図２−２に示すように、１〜（ｎ−１）次元目の分離流路１を利用して第１溶液を分画した場合、第２溶液をｎ次元目の分離流路１に導入した後に分画した第１溶液をｎ次元目の分離流路１に導入する。すなわち、この場合、１〜（ｎ−１）次元目の分離流路によって第１溶液を調製している。ここで、（ｎ−１）次元目の分離流路から溶出される第１溶液は、上述したように、複数種類の物質を含んでいてもよいし、複数の液体試料から構成されていてもよい。【００８２】  また、１〜（ｎ−１）次元目の分離流路を利用して第１溶液を分画した場合、制御装置６は、第２溶液をｎ次元目の分離流路に所定の間隔で導入するとともに当該分画を導入するように制御してもよい。この場合、第１溶液の所定の分画に含まれる物質が、第２溶液に含まれる物質と相互作用しなければ、第２溶液に含まれる物質が所定の間隔で検出されることとなる。第１溶液の所定の分画に含まれる物質が、第２溶液に含まれる物質と相互作用すると、第２溶液に含まれる物質がずれて検出されることとなる。したがって、この場合、第２溶液に含まれる物質を検出することによって、第２溶液に含まれる物質が相互作用する物質を含む第１溶液の分画を特定することができる。【００８３】  一方、例えば、１〜（ｎ−１）次元目の分離流路を利用して第２溶液を分画した場合、分画した第２溶液をｎ次元目の分離流路に導入した後に第１溶液をｎ次元目の分離流路に導入する。すなわち、この場合、１〜（ｎ−１）次元目の分離流路によって第２溶液を調製している。ここで、（ｎ−１）次元目の分離流路から溶出される第２溶液は、上述したように、複数種類��物質を含んでいてもよいし、複数の液体試料から構成されていてもよい。【００８４】  また、１〜（ｎ−１）次元目の分離流路を利用して第２溶液を分画した場合、制御装置６は、第１溶液をｎ次元目の分離流路に所定の間隔で導入するとともに当該分画を導入してもよい。この場合、第２溶液の所定の分画に含まれる物質が、第１溶液に含まれる物質と相互作用しなければ、第１溶液に含まれる物質が所定の間隔で検出されることとなる。第２溶液の所定の分画に含まれる物質が、第１溶液に含まれる物質と相互作用すると、第１溶液に含まれる物質がずれて検出されることとなる。したがって、この場合、第１溶液に含まれる物質を検出することによって、第１溶液に含まれる物質が相互作用する物質を含む第２溶液の分画を特定することができる。【００８５】  例えば、細胞の抽出液等の複雑な構成成分からなる溶液を１〜（ｎ−１）次元目の分離流路を利用して、第１溶液又は第２溶液を分画することによって、相互作用分析に供する物質群をあらかじめ分画することができ、複雑な構成成分から成る試料の詳細な相互作用分析が可能となる。【００８６】  なお、本相互作用分析装置においては、分離流路１の下流に、上述したような各種クロマトグラフィーカラムや、電気泳動管、電気浸透流管等を、適宜組み合わせて接続する様な構成であっても良い。この場合、本相互作用分析装置によれば、相互作用分析の後の試料をさらに分画することができ、分析された相互作用を示す物質に関する詳細な解析が可能となる。【００８７】  以上のような本発明を適用した相互作用分析装置においては、例えば、１００種類の第１溶液と１００種類の第２溶液と間の相互作用を組み合わせて分析したい場合であっても、予め１００×１００＝１０，０００通りの混合液を調製しておく必要がなく、１００種類の第１溶液と１００種類の第２溶液を容器部３に設置すればよい。従来の方法及び装置においては、１０，０００通りの混合液を予め準備する必要があるため、その分に対応する容器部を要することとなる。これに対して本相互作用分析装置においては、合計２００種類の容器を設置できればよく、容器部３の省スペース化を達成することができる。【００８８】  また、従来の方法及び装置では、複数の第１溶液と複数の第２溶液とを全ての組み合わせで混合するため、極微量の溶液を調製することとなる。このとき、分析までの待ち時間の間に溶液がある程度蒸発して溶液の濃度変化や消失の危険性を回避するためには、容器内に過剰量のサンプルを予め準備する必要がある。したがって、従来の方法及び装置においては、混合する前の前の第１溶液及び第２溶液として、実際に分離流路に導入する全量よりも数倍〜数十倍量を必要となり、非常に無駄が多かった。【００８９】  これに対して、本相互作用分析装置においては、複数の第１溶液及び複数の第２溶液を予め混合する必要がないため、全ての組み合わせについて相互作用分析を行う場合であっても、分析に必要な量を準備すれば足りることとなる。このように、本相互作用分析装置によれば、複数の第１溶液及び複数の第２溶液における全ての組み合わせについて大規模に相互作用分析を行うような場合であっても、複数の第１溶液及び複数の第２溶液を無駄にすることを防止できる。【００９０】  また、本相互作用分析装置によれば、複数の第１溶液及び複数の第２溶液を極微量の混合液としないため、分析待ち時間の間の蒸発などによる濃度変化や消失の危険性を大幅に低減できる。さらに、本相互作用分析装置は、混合という操作が不必要であり、連続注入機構があれば事足るため、微小流路を用いた超小型の分析チップのような微小分析には特に好適である。１μＬ未満の溶液を分析対象とできる微小流路を用いた超小型の分析チップでは、組み合わせ検定における多数の検体間の微量混合は不都合であり、検体の連続注入の方が容易に実施できる。
【実施例】
【００９１】  以下、本発明を実施例を用いてより詳細に説明するが、本発明の技術的範囲は、以下の実施例に限定されるものではない。【００９２】〔実施例１〕
相互作用分析装置
本実施例で構築した相互作用分析装置は、分離流路１としてサイズ排除クロマトグラフィー用カラムＴＳＫｓｕｐｅｒＳＷ２０００（カラムサイズ１．０ＩＤｘ１０ｍｍ、１．０ＩＤｘ３０ｍｍないしは１．０ＩＤｘ１００ｍｍ；Ｔｏｓｏｈ  Ｃｏｒｐｏｒａｔｉｏｎ社製）を備える。また相互作用分析装置は、容器部３及び導入装置４としてオートインジェクター装置ＨＴＣ−ＰＡＬ（ＣＴＣ  Ａｎａｌｙｔｉｃｓ  ＡＧ社製）及びＬＣポンプ（Ａｇｉｌｅｎｔ１１００、Ｙｏｋｏｇａｗａ社製）を備える。さらに、相互作用分析装置は、検出装置５としてイオントラップ型質量分析計ＬＣＱｄｅｃａＸＰ（ＴｈｅｒｍｏＱｕｅｓｔ）を備える。【００９３】（１）オートインジェクター装置（ＨＴＣ−ＰＡＬ）の構成
オートインジェクター装置ＨＴＣ−ＰＡＬ（ＣＴＣ  Ａｎａｌｙｔｉｃｓ  ＡＧ）は、５μＬ容量あるいは１０μＬ容量のサンプルループ、１０μＬ容量のシリンジ、および、クーリングユニット付きのサンプルトレイを備える。容量１００μＬのコニカルインサートを挿入した２ｍＬスクリューバイアルに第１溶液を５０μＬずつ分注し、セプタム付きスクリューキャップを取り付けた後、５４バイアル用ラックに並べてサンプルトレイの１つにセットした。また、第２溶液を各ウェルに４０μＬずつ分注しアルミシールで覆った３８４ｗｅｌｌ−マイクロプレートを別のサンプルトレイにセットした。サンプルトレイの温度は１０℃に設定した。【００９４】  オートサンプラー装置ＨＴＣ−ＰＡＬ（ＣＴＣ  Ａｎａｌｙｔｉｃｓ  ＡＧ）のマクロエディターを用いて、次のシーケンスから構成される解析方法をプログラムした（以下、Ｍｉｘｉｎｇ−ｉｎ−Ｃｏｌｕｍｎメソッドと呼ぶ）を作成した。【００９５】Ｍｉｘｉｎｇ−ｉｎ−Ｃｏｌｕｍｎメソッド
１）シリンジ内部洗浄（溶媒１：５０％メタノール水溶液）
２）シリンジ内部洗浄（溶媒２：ＭｉｌｉＱ水）
３）サンプルシーケンスで指定されたウェルから第二物質（群）溶液  １μＬ吸引
４）エアー  ０．５μＬ吸引
５）シリンジ外部洗浄（溶媒１：５０％メタノール水溶液）
６）シリンジ外部洗浄（溶媒２：ＭｉｌｉＱ水）
７）サンプルシーケンスで指定されたバイアルから第一物質（群）溶液  １μＬ吸引
８）インジェクションポートへ２．５μＬインジェクト
９）シリンジ内部洗浄（溶媒１：５０％メタノール水溶液）
１０）シリンジ内部洗浄（溶媒２：ＭｉｌｉＱ水）
９）インジェクションポート洗浄（溶媒１：５０％メタノール水溶液）
１０）インジェクションポート洗浄（溶媒２：ＭｉｌｉＱ水）
ただし、第一物質溶液、第二物質溶液、および、エアーの容量は変更可能である。【００９６】  なお、オートサンプラー装置ＨＴＣ−ＰＡＬにおけるシーケンス制御の一例を以下に示す。【００９７】ｓｙｒｉｎｇｅ：１０ｕｌ
2005036122.tif 000002
2005036122.tif 000003
（２）ＬＣポンプ（Ａｇｉｌｅｎｔ１１００）及びイオントラップ型質量分析計ＬＣＱｄｅｃａＸＰの構成
サイズ排除クロマトグラフィー用カラムＴＳＫｓｕｐｅｒＳＷ２０００をオートインジェクターのインジェクションバルブの出口ポートに接続し、カラムの下流側はＴｅｅコネクター（ピークミキシングティー；ジーエルサイエンス株式会社）を経由してイオントラップ型質量分析計ＬＣＱｄｅｃａＸＰのＥＳＩプローブに接続した。また、ＬＣポンプ（Ａｇｉｌｅｎｔ１１００）のクォータナリーポンプ（Ｑポンプ）からのカラム平衡化溶液の送液ラインをオートサンプラーのインジェクションバルブの入り口ポートに接続し、バイナリポンプ（Ｂポンプ）からのコンディショニング溶液の送液ラインをＴｅｅコネクターに接続した。そして、クォータナリーポンプからカラム平衡化溶液として１０ｍＭ  酢酸アンモニウム水溶液を４０μＬ／ｍｉｎで送液し、バイナリポンプ（Ｂポンプ）からコンディショニング溶液として、ポジティブイオンモード測定の場合には０．５％ギ酸／メタノール溶液、ネガティブイオンモード測定の場合には０．５％アンモニア／メタノール溶液を１０μＬ／ｍｉｎで送液した。また、相互作用分析のｐＨを安定化させる必要がある場合には、クォータナリーポンプから送液する平衡化溶液の１０ｍＭ  酢酸アンモニウム水溶液に、ＰＩＰＥＳ緩衝液、ＡＤＡ緩衝液、ＨＥＰＥＳ緩衝液、Ｂｉｓ−Ｔｒｉｓ−塩酸緩衝液、あるいは、Ｔｒｉｓ−塩酸緩衝液（ｐＨ７．５）などの緩衝液を必要に応じて添加した。【００９８】（３）測定
上述したＭｉｘｉｎｇ−ｉｎ−Ｃｏｌｕｍｎメソッドを用いて、サンプルシーケンスで指定したウェルおよびバイアルから第２溶液と第１溶液とをこの順で連続自動注入した。すなわち、一例としては、オートインジェクターのシリンジで、第２溶液１μＬの次に、０．５μＬの空気からなる間隙試料を挟んで、第１溶液１μＬを吸引した。次いで、シリンジに連続吸引された計２．５μＬのサンプルをサンプルループに注入した後、インジェクションバルブを切り替えてインジェクションポートからサイズ排除クロマトグラフィー用カラムへ第２溶液−間隙試料−第１溶液の順で導入し、同時に、質量分析計での質量クロマトグラムの測定を開始した。所定時間の質量クロマトグラムの測定が終わると、サンプルシーケンスに従って、順次、次の第２溶液と第１溶液を同様に吸引し、相互作用分析の組み合わせ検定を実施した。ただし、第１溶液、第２溶液、および、エアーの容量は変更可能である。【００９９】〔測定例１〕Ｍｉｘｉｎｇ−ｉｎ−Ｃｏｌｕｍｎメソッドを用いた相互作用分析
（サンプル調製）
第１溶液として、タンパク質を次の組成で含有する水溶液を調製した。なお、以下の説明において、第１溶液に含まれる物質を第一物質と呼ぶ。【０１００】  第１溶液（ａ）；
第一物質なし（Ｒｅｆｅｒｅｎｃｅ）
１０ｍＭ  ＡＤＡ緩衝液（ｐＨ６．５）
１００μＭ  ＣａＣｌ２
第１溶液（ｂ）；
第一物質Ｂｏｖｉｎｅ  Ｃａｌｍｏｄｕｌｉｎ
１００μＭ  Ｂｏｖｉｎｅ  Ｂｒａｉｎ  Ｃａｌｍｏｄｕｌｉｎ（Ｃａｌｂｉｏｃｈｅｍ；Ｃｏｄｅ．２０８６９４）
１００μＭ  ＣａＣｌ２
第１溶液（ｃ）；
第一物質Ｈｕｍａｎ  ＦＫＢＰ１２
１００μＭ  Ｈｕｍａｎ  ＦＫＢＰ１２
１０ｍＭ  ＡＤＡ緩衝液（ｐＨ６．５）
第２溶液として、低分子化合物を次の組成で含有する水溶液を調製した。なお、以下の説明において、第２溶液に含まれる物質を第二物質と呼ぶ。【０１０１】  第２溶液（ａ）；
第二物質なし（Ｒｅｆｅｒｅｎｃｅ）
５％  ＤＭＳＯ
５０μＭ  Ｃｙａｎｏｃｏｂａｌａｍｉｎ（Ｒｅｆｅｒｅｎｃｅ）
第２溶液（ｂ）；
第二物質Ｊ−８
１００μＭ  Ｊ−８
５０μＭ  Ｃｙａｎｏｃｏｂａｌａｍｉｎ（Ｒｅｆｅｒｅｎｃｅ）
５％  ＤＭＳＯ
第２溶液（ｃ）；
第二物質ＦＫ５０６
５０μＭ  ＦＫ５０６
５０μＭ  Ｃｙａｎｏｃｏｂａｌａｍｉｎ（Ｒｅｆｅｒｅｎｃｅ）
５％  ＤＭＳＯ
（測定および結果）
上述した相互作用分析装置およびＭｉｘｉｎｇ−ｉｎ−Ｃｏｌｕｍｎメソッドを用いて、第２溶液と第１溶液とをこの順でＴＳＫｓｕｐｅｒＳＷ２０００に導入し、各化合物（第一物質及び第二物質）のマスクロマトグラムを測定した。その結果を図３−１〜−６及び４−１〜−３に示す。【０１０２】  図３−１〜−６から分かるように、第２溶液（ｃ）及び第１溶液（ｃ）をこの順で導入した結果、化合物ＦＫ５０６とヒトＦＫＢＰ１２との相互作用に対応する特異的なマスクロマトグラムの変化が観測された。すなわち、ヒトＦＫＢＰ１２を第一物質とした場合に、ＦＫ５０６のマスクロマトグラムにピーク（図３−４〜−６中矢印で示すピーク）が出現した。これは、カラム内でＦＫＢＰ１２がＦＫ５０６を追い越した時に、ＦＫ５０６の一部がＦＫＢＰ１２と結合してタンパク質と共にカラムから溶出したことを示しており、ＦＫ５０６とＦＫＢＰ１２との間に相互作用があることを意味する。【０１０３】  図４−１〜−３から分かるように、第２溶液（ｂ）及び第１溶液（ｂ）をこの順で導入した結果、化合物Ｊ−８とウシＣａｌｍｏｄｕｌｉｎとの相互作用に対応する特異的なマスクロマトグラムの変化も観測された。すなわち、ウシＣａｌｍｏｄｕｌｉｎを第一物質とした場合に、Ｊ−８のマスクロマトグラムの立ち上がり（図４−１〜−３中矢印で示す部分）が早まった。これは、カラム内でＣａｌｍｏｄｕｌｉｎがＪ−８を追い越した時に、Ｊ−８の一部がＣａｌｍｏｄｕｌｉｎと相互作用してカラムから早く溶出したことを示しており、Ｊ−８とＣａｌｍｏｄｕｌｉｎとの間に相互作用があることを意味する。【０１０４】  また、これら図３−１〜−６及び４−１〜−３に示したように、第二物質の注入量を１μＬ、２μＬ、３μＬと増加させた場合、化合物のマスクロマトグラムの強度の増大が認められ、第二物質の注入量を増加させることによって相互作用解析がより明瞭に判定できた。【０１０５】〔測定例２〕第二物質が多重化された相互作用分析
（サンプル調製）
第一物質を含む第１溶液として、タンパク質を次の組成で含有する水溶液を調製した。【０１０６】  第１溶液（ａ）；
第一物質なし
５００ｕＭ  ＡＤＡ緩衝液（ｐＨ６．５）
第１溶液（ｂ）；
第一物質Ｂｏｖｉｎｅ  Ｃａｌｍｏｄｕｌｉｎ
５０μＭ  Ｂｏｖｉｎｅ  Ｃａｌｍｏｄｕｌｉｎ
５００μＭ  ＡＤＡ緩衝液（ｐＨ６．５）
１００μＭ  ＣａＣｌ２
第１溶液（ｃ）；
第一物質Ｈｕｍａｎ  Ｃａｌｍｏｄｕｌｉｎ
５０μＭ  Ｈｕｍａｎ  Ｃａｌｍｏｄｕｌｉｎ
５００μＭ  ＡＤＡ緩衝液（ｐＨ６．５）
１００μＭ  ＣａＣｌ２
複数の第二物質（第二物質群）を含む第２溶液として、低分子化合物を次の組成で含有する水溶液を調製した。【０１０７】  第２溶液（ａ）；
第二物質群なし
５％  ＤＭＳＯ
３８種の第２溶液（ｂ）；（それぞれが５〜８個の化合物を多重化した第二物質群を含む３８種の第２溶液）
第二物質群あり
各２５μＭ  ５〜８種類の化合物
５％  ＤＭＳＯ
ここで、第２溶液（ｂ）として、それぞれ５〜８個の化合物を第二物質群として含む３８種の第２溶液（Ｍｕｌｔｉ０２−００１〜Ｍｕｌｔｉ０２−０３８）を用いた。例えば、Ｍｕｌｔｉ０２−００１の第２溶液には、Ｍｕｌｉｔｉ０２−００１Ａ、００１Ｂ、００１Ｃ、００１Ｄ、００１Ｅ、００１Ｆ、００１Ｇ、００１Ｈとコード番号が付された８個の化合物（第二物質）が各々２５μＭ濃度で含有されており、これらが第二物質群を構成している。そのように２９０個の化合物（第二物質）を多重化して、Ｍｕｌｔｉ０２−００１〜Ｍｕｌｔｉ０２−０３８の３８種の第２溶液を調製した。【０１０８】（測定および結果）
上述した相互作用分析装置及びＭｉｘｉｎｇ−ｉｎ−Ｃｏｌｕｍｎメソッドを用いて、第２溶液と第１溶液とをこの順でＴＳＫｓｕｐｅｒＳＷ２０００にそれぞれ１μＬずつ導入し、各化合物（第一物質及び第二物質群）のマスクロマトグラムを測定した。クロマトグラムに差異が認められたケースのクロマトグラム結果を図５−１〜−４に示す。図５−１〜−４から分かるように、第二物質群に含まれる化合物のうちＭｕｌｔｉ０２−０２２Ｅ、Ｍｕｌｔｉ０２−０２３Ｇ、Ｍｕｌｔｉ０２−０２６Ｃ、Ｍｕｌｔｉ０２−０３８Ｇの４つの化合物において、Ｃａｌｍｏｄｕｌｉｎを含まないコントロール（ａ）に比して、ウシ（ｂ）およびヒト（ｃ）のいずれのＣａｌｍｏｄｕｌｉｎを第一物質として場合にも、特異的なマスクロマトグラムの変化が観測された。すなわち、これら４つの化合物に関するクロマトグラムは、Ｃａｌｍｏｄｕｌｉｎを第一物質とした場合に立ち上がり（図５−１〜−５中破線で示す位置）が早まっていた。これは、カラム内においてＣａｌｍｏｄｕｌｉｎが多重化された第二物質群を追い越し、その時にこれら４つの化合物がＣａｌｍｏｄｕｌｉｎと相互作用した結果、カラムから早く溶出したことを示している。【０１０９】〔実施例２〕
相互作用分析装置
実施例２では、実施例１の装置構成を一部改変して、複数の第１溶液を注入するための装置構成とした。【０１１０】（１）オートインジェクター装置（ＨＴＣ−ＰＡＬ）の構成
オートインジェクターはＨＴＣ−ＰＡＬ（ＣＴＣ  Ａｎａｌｙｔｉｃｓ  ＡＧ）を用い、１０μＬ容量のサンプルループを用いる以外は、実施例１と同じ構成とした。【０１１１】  本例では、オートサンプラー装置ＨＴＣ−ＰＡＬ（ＣＴＣ  Ａｎａｌｙｔｉｃｓ  ＡＧ）のマクロエディターを用いて、次のシーケンスから構成されるＭｉｘｉｎｇ−ｉｎ−Ｃｏｌｕｍｎメソッドを作成した。【０１１２】Ｍｉｘｉｎｇ−ｉｎ−Ｃｏｌｕｍｎメソッド
１）シリンジ内部洗浄（溶媒１：５０％メタノール水溶液）
２）シリンジ内部洗浄（溶媒２：ＭｉｌｉＱ水）
３）サンプルシーケンスで指定されたウェルから第二物質（群）溶液  １μＬ吸引
４）エアー  ０．２μＬ吸引
５）シリンジ外部洗浄（溶媒１：５０％メタノール水溶液）
６）シリンジ外部洗浄（溶媒２：ＭｉｌｉＱ水）
７）サンプルシーケンスで指定されたバイアルから第一物質（群）溶液  １μＬ吸引
８）シーケンス４）〜７）を必要回数（ｎ回）繰り返す。【０１１３】９）インジェクションポートへ１．０＋（１．２×ｎ）μＬインジェクト
１０）シリンジ内部洗浄（溶媒１：５０％メタノール水溶液）
１１）シリンジ内部洗浄（溶媒２：ＭｉｌｉＱ水）
１２）インジェクションポート洗浄（溶媒１：５０％メタノール水溶液）
１３）インジェクションポート洗浄（溶媒２：ＭｉｌｉＱ水）
ただし、第一物質溶液、第二物質溶液、および、エアーの容量は変更可能である。【０１１４】  なお、オートサンプラー装置ＨＴＣ−ＰＡＬにおけるシーケンス制御の一例を以下に示す。このシーケンス制御では、３種のタンパク質Ｎｏ．３、Ｎｏ．４又はＮｏ．５を含む３種類の第１溶液を順次吸引するものである。【０１１５】ｓｙｒｉｎｇｅ：１０ｕｌ
2005036122.tif 000004
2005036122.tif 000005
2005036122.tif 000006
〔測定例３〕実施例２のＭｉｘｉｎｇ−ｉｎ−Ｃｏｌｕｍｎメソッドを用いた複数タンパク質の相互作用分析
（サンプル調製）
第１溶液として、タンパク質を次の組成で含有する水溶液を調製した。なお、以下の説明において、第１溶液に含まれる物質を第一物質と呼ぶ。【０１１６】  第一物質を含む第１溶液として、タンパク質を次の組成で含有する水溶液を調製した。【０１１７】  第１溶液（ａ）；
第一物質なし（Ｒｅｆｅｒｅｎｃｅ）
１０ｍＭ  ＡＤＡ緩衝液（ｐＨ６．５）、
１００μＭ  ＣａＣｌ２
第１溶液（ｂ）；
第一物質Ｂｏｖｉｎｅ  Ｃａｌｍｏｄｕｌｉｎ
１００μＭ  Ｂｏｖｉｎｅ  Ｂｒａｉｎ  Ｃａｌｍｏｄｕｌｉｎ（ＣａＭ；Ｃａｌｂｉｏｃｈｅｍ社製）
１００μＭ  ＣａＣｌ２
第１溶液（ｃ）；
第一物質Ｈｕｍａｎ  ＦＫＢＰ１２
１００μＭ  Ｈｕｍａｎ  ＦＫＢＰ１２
１０ｍＭ  ＡＤＡ緩衝液（ｐＨ６．５）
第１溶液（ｄ）；
第一物質Ｈｕｍａｎ  Ｓｅｒｕｍ  Ａｌｂｕｍｉｎ
１００μＭ  Ｈｕｍａｎ  Ｓｅｒｕｍ  Ａｌｂｕｍｉｎ（ＨＳＡ；Ｓｉｇｍａ社製）
１０ｍＭ  ＡＤＡ緩衝液（ｐＨ６．５）
第二物質を含む第２溶液として、低分子化合物を次の組成で含有する水溶液を調製した。【０１１８】  第２溶液（ａ）；
第二物質なし（Ｒｅｆｅｒｅｎｃｅ）
５％  ＤＭＳＯ
５０μＭ  Ｃｙａｎｏｃｏｂａｌａｍｉｎ（Ｒｅｆｅｒｅｎｃｅ）
第２溶液（ｂ）；
第二物質Ｊ−８
１００μＭ  Ｊ−８
５０μＭ  Ｃｙａｎｏｃｏｂａｌａｍｉｎ（Ｒｅｆｅｒｅｎｃｅ）
５％  ＤＭＳＯ
第２溶液（ｃ）；
第二物質ＦＫ５０６
５０μＭ  ＦＫ５０６
５０μＭ  Ｃｙａｎｏｃｏｂａｌａｍｉｎ（Ｒｅｆｅｒｅｎｃｅ）
５％  ＤＭＳＯ
第２溶液（ｄ）；
第二物質Ａｓｃｏｍｙｃｉｎ
５０μＭ  Ａｓｃｏｍｙｃｉｎ
５０μＭ  Ｃｙａｎｏｃｏｂａｌａｍｉｎ（Ｒｅｆｅｒｅｎｃｅ）
５％  ＤＭＳＯ
（測定および結果）
実施例２に例示された装置およびＭｉｘｉｎｇ−ｉｎ−Ｃｏｌｕｍｎメソッドを用いて、第２溶液と複数の液体試料からなる第１溶液とをＴＳＫｓｕｐｅｒＳＷ２０００に導入し、各化合物（第一物質及び第二物質）のマスクロマトグラムを測定した。本例では以下の順序で各溶液を導入した。なお、各溶液の間には気体からなる間隙試料（エアー）を介在させた。【０１１９】・第２溶液（ｃ）→第１溶液（ａ）
・第２溶液（ｃ）→第１溶液（ｄ）→第１溶液（ｄ）
・第２溶液（ｃ）→第１溶液（ｃ）
・第２溶液（ｃ）→第１溶液（ｃ）→第１溶液（ｄ）
・第２溶液（ｃ）→第１溶液（ｄ）→第１溶液（ｃ）
測定結果を図６−１〜−５に示す。図６−１〜−５に示したように、ＦＫ５０６（第二物質）の次に、エアー、ＨＳＡ、エアー及びＨＳＡの順でカラムに導入した場合には、ＦＫ５０６の次に、エアー及びＡＤＡ緩衝液を導入した場合と比べて変化が認められない。一方、ＦＫ５０６の次に、エアー、ＨＳＡ、エアー及びＦＫＢＰ１２の順でカラムに導入した場合、及びＦＫ５０６の次に、エアー、ＦＫＢＰ１２、エアー及びＨＳＡの順でカラムに導入した場合においては、ＦＫ５０６の次に、エアー及びＦＫＢＰ１２の順でカラムに導入した場合と同様にＦＫ５０６のマスクロマトグラムにピーク（図６−３〜−５中矢印で示すピーク）が出現した。すなわち、導入された複数の液体試料のうちで、ＦＫＢＰ１２を含む液体試料がカラム内でＦＫ５０６を追い越した時に、ＦＫ５０６の一部がＦＫＢＰ１２と結合してタンパク質と共にカラムから溶出したことを示している。したがって、第２溶液に続いて複数の液体試料からなる第１溶液を順次導入した場合であっても、複数の液体試料のうちいずれかに第二物質と相互作用する物質が含まれていれば、その相互作用を検出できることが明らかとなった。【０１２０】  同様に、以下の順序で各溶液を導入した。なお、各溶液の間には気体からなる間隙試料（エアー）を介在させた。【０１２１】・第２溶液（ｂ）→第１溶液（ａ）
・第２溶液（ｂ）→第１溶液（ｄ）→第１溶液（ｄ）
・第２溶液（ｂ）→第１溶液（ｂ）
・第２溶液（ｂ）→第１溶液（ｂ）→第１溶液（ｄ）
・第２溶液（ｂ）→第１溶液（ｄ）→第１溶液（ｂ）
測定結果を図７−１〜−３に示す。図７−１〜−３に示したように、Ｊ−８（第二物質）の次に、エアー、ＨＳＡ、エアー及びＨＳＡの順でカラムに導入した場合には、Ｊ−８の次に、エアー及びＡＤＡ緩衝液を導入したした場合と比べて変化が認められない。一方、Ｊ−８の次に、エアー、ＨＳＡ、エアー及びＣａＭの順でカラムに導入した場合、及びＪ−８の次に、エアー、ＣａＭ、エアー及びＨＳＡの順でカラムに導入した場合においては、Ｊ−８の次に、エアー及びＣａＭの順でカラムに導入した場合と同様にＪ−８のマスクロマトグラムの立ち上がり（図７−１〜−３中矢印の位置）が早まった。これは、導入された複数の液体試料のうちで、Ｃａｌｍｏｄｕｌｉｎを含む液体試料がカラム内でＪ−８を追い越した時に、Ｊ−８の一部がＣａｌｍｏｄｕｌｉｎと相互作用してカラムから早く溶出したことを示している。したがって、第２溶液に続いて複数の液体試料からなる第１溶液を順次導入した場合であっても、複数の液体試料のうちいずれかに第二物質と相互作用する物質が含まれていれば、その相互作用を検出できることがこの例からも明らかとなった。【０１２２】  次に、第２溶液に続いて三つの液体試料からなる第１溶液をカラムに導入する場合について検討した。ここでは以下の順序で各溶液を導入した。なお、各溶液の間には気体からなる間隙試料（エアー）を介在させた。【０１２３】・第２溶液（ｃ）→第１溶液（ａ）→第１溶液（ａ）→第１溶液（ａ）
・第２溶液（ｃ）→第１溶液（ｄ）→第１溶液（ｄ）→第１溶液（ｄ）
・第２溶液（ｃ）→第１溶液（ｃ）→第１溶液（ｄ）→第１溶液（ｄ）
・第２溶液（ｃ）→第１溶液（ｄ）→第１溶液（ｃ）→第１溶液（ｄ）
・第２溶液（ｃ）→第１溶液（ｄ）→第１溶液（ｄ）→第１溶液（ｃ）
測定結果を図８−１〜−５に示す。図８−１〜−５に示すように、ＦＫ５０６（第二物質）の次に、エアー、ＨＳＡ、エアー、ＨＳＡ、エアー及びＨＳＡの順でカラムに導入した場合には、ＦＫ５０６の次に、エアー、ＡＤＡ緩衝液、エアー、ＡＤＡ緩衝液、エアー及びＡＤＡ緩衝液の順で導入した場合と比べて変化が認められない。一方、三つの液体試料のうちいずれか一つにＦＫ５０６（第二物質）と相互作用する物質が含まれている場合には、ＦＫ５０６のマスクロマトグラムにピーク（図８−３〜−５中矢印で示すピーク）が出現した。この結果からも、第２溶液に続いて複数の液体試料からなる第１溶液を順次導入した場合であっても、複数の液体試料のうちいずれかに第二物質と相互作用する物質が含まれていれば、その相互作用を検出できることが明らかとなった。【０１２４】  また、ＦＫ５０６の代わりにＡｓｃｏｍｙｃｉｎを第二物質として使用した場合の測定結果を図９−１〜−５に示す。図９−１〜−５に示すように、ＡｓｃｏｍｙｃｉｎとＦＫＢＰ１２との間の相互作用も同様に検出できることが明らかとなった。【０１２５】［実施例３］
相互作用分析装置
実施例３では、図２−２に示したように、１次元目の分離流路（分離用カラム）の下流に２次元目の分離流路（相互作用解析用カラム）を配設し、第１溶液を第１インジェクターから１次元目の分離流路１に導入し、その１次元目の分離流路１からの溶出分画を第２インジェクターから導入される第２溶液とともに２次元目の分離流路１に導入し、その２次元目の分離流路１から溶出する第２溶液中に含まれる物質のクロマトグラムを検出して、第２溶液中の物質が１次元目のどの溶出分画と相互作用しているかを判定する相互作用分析装置を構築した。具体的に本例の相互作用分析装置は、１次元目の分離流路１としてサイズ排除クロマトグラフィー用カラムＴＳＫｓｕｐｅｒＳＷ３０００（カラムサイズ１．０ＩＤｘ１００ｍｍ；Ｔｏｓｏｈ  Ｃｏｒｐｏｒａｔｉｏｎ社製）を備え、２次元目の分離流路１としてサイズ排除クロマトグラフィー用カラムＴＳＫｓｕｐｅｒＳＷ２０００（カラムサイズ１．０ＩＤｘ３０ｍｍ；Ｔｏｓｏｈ  Ｃｏｒｐｏｒａｔｉｏｎ社製）を備える。また、本例の相互作用分析装置は、容器部３及び導入装置４としてオートインジェクター装置Ｗａｔｅｒｓ２７７７サンプルマネージャー（ＣＴＣ  Ａｎａｌｙｔｉｃｓ  ＡＧ社製）及びＬＣポンプＡｇｉｌｅｎｔ１１００（Ｙｏｋｏｇａｗａ  Ａｎａｌｙｔｉｃａｌ  Ｓｙｓｔｅｍｓ社製）及びＭｉｃｒｏ２１ＬＣ（日本分光社製）を備える。さらに、本例の相互作用分析装置は、検出装置５としてイオントラップ型質量分析計ＬＣＱｄｅｃａＸＰ（Ｔｈｅｒｍｏｅｌｅｃｔｒｏｎ社製）を備える。【０１２６】（１）オートインジェクター装置（Ｗａｔｅｒｓ２７７７）の構成
オートインジェクター装置Ｗａｔｅｒｓ２７７７（ＣＴＣ  Ａｎａｌｙｔｉｃｓ  ＡＧ）は、４０μＬ容量のサンプルループが接続された第１インジェクターと１０μＬ容量のサンプルループを接続した第２インジェクターの２つのインジェクターを備え、１０μＬ容量のシリンジおよびクーリングユニット付きのサンプルトレイを備える。容量１００μＬのコニカルインサートを挿入した２ｍＬスクリューバイアルに第１溶液を５０μＬずつ分注し、セプタム付きスクリューキャップを取り付けた後、５４バイアル用ラックに並べてサンプルトレイの１つにセットした。また、第２溶液を各ウェルに４０μＬずつ分注しアルミシールで覆った３８４ｗｅｌｌ−マイクロプレートを別のサンプルトレイにセットした。サンプルトレイの温度は１０℃に設定した。【０１２７】  オートインジェクター装置Ｗａｔｅｒｓ２７７７（ＣＴＣ  Ａｎａｌｙｔｉｃｓ  ＡＧ）のマクロエディターを用いて、次のシーケンスから構成される解析方法をプログラムした（以下、２次元のＭｉｘｉｎｇ−ｉｎ−Ｃｏｌｕｍｎメソッドと呼ぶ）。２次元のＭｉｘｉｎｇ−ｉｎ−Ｃｏｌｕｍｎメソッドは、第１インジェクターから第１溶液をインジェクションするためのｍｅｔｈｏｄ「Ｉｎｊ１」と、第２インジェクターから第２溶液を所定の間隔で繰り返しインジェクションするためのｍｅｔｈｏｄ「Ｉｎｊ２」の２つのｍｅｔｈｏｄから構成される。オートインジェクター装置Ｗａｔｅｒｓ２７７７のサンプルシーケンスにおいては、容器部（サンプルトレイ）に配置した第１溶液をｍｅｔｈｏｄ「Ｉｎｊ１」で第１インジェクターから１次元目の分離流路１に導入し、その後で、容器部（サンプルトレイ）に配置した第２溶液をｍｅｔｈｏｄ「Ｉｎｊ２」で第２インジェクターから２次元目の分離流路に導入した。【０１２８】２次元のＭｉｘｉｎｇ−ｉｎ−Ｃｏｌｕｍｎ法のサンプルシーケンス例
2005036122.tif 000007
サンプル数が多い場合には、以下同様に、Ｉｎｊ１とＩｎｊ２を交互に繰り返して、第１溶液の次に第２溶液をインジェクトするサンプルシーケンスを作成した。【０１２９】２次元のＭｉｘｉｎｇ−ｉｎ−Ｃｏｌｕｍｎメソッド
2005036122.tif 000008
2005036122.tif 000009
2005036122.tif 000010
2005036122.tif 000011
（２）ＬＣポンプ（Ａｇｉｌｅｎｔ１１００）及びＬＣポンプ（ｍｉｃｒｏ２１ＬＣ）及びイオントラップ型質量分析計ＬＣＱｄｅｃａＸＰの構成
ＬＣポンプ（Ａｇｉｌｅｎｔ１１００）のバイナリポンプ（Ｂポンプ）からのカラム平衡化溶液の送液ラインをオートインジェクターＷａｔｅｒｓ２７７７の第１インジェクターの入り口ポートに接続した。また、１次元目のサイズ排除クロマトグラフィー用カラムＴＳＫｓｕｐｅｒＳＷ３０００（ＩＤ１．０ｘ１００ｍｍ）を第１インジェクターの出口ポートに接続し、カラムの下流側はＮａｎｏｔｉｇｈｔ  Ｙ  Ｃｏｎｎｅｃｔｏｒ（Ｕｐｃｈｕｒｃｈ  Ｓｃｉｅｎｔｉｆｉｃ）の片方の入り口ポートに接続し、その出口ポートを２次元目のサイズ排除クロマトグラフィー用カラムＴＳＫｓｕｐｅｒＳＷ２０００（ＩＤ１．０ｘ３０ｍｍ）の上流のカラム端に接続した。一方、ＬＣポンプ（Ａｇｉｌｅｎｔ１１００）のクォータナリーポンプ（Ｑポンプ）からのカラム平衡化溶液の送液ラインを第２インジェクターの入り口ポートに接続し、その出口ポートからのラインを前記Ｎａｎｏｔｉｇｈｔ  Ｙ  Ｃｏｎｎｅｃｔｏｒ（Ｕｐｃｈｕｒｃｈ  Ｓｃｉｅｎｔｉｆｉｃ）のもう１つの入り口ポートに接続した。前記２次元目のサイズ排除クロマトグラフィー用カラムＴＳＫｓｕｐｅｒＳＷ２０００の下流側はＴｅｅコネクター（ピークミキシングティー；ジーエルサイエンス株式会社）を経由してイオントラップ型質量分析計ＬＣＱｄｅｃａＸＰのＥＳＩプローブに接続した。そして、ｍｉｃｒｏ２１Ｌｃ（日本分光）からのコンディショニング溶液の送液ラインをＴｅｅコネクターに接続した。【０１３０】  そして、バイナリポンプ（Ｂポンプ）およびクォータナリーポンプ（Ｑポンプ）の両方ともカラム平衡化溶液として１０ｍＭ  酢酸アンモニウム水溶液を５μＬ／ｍｉｎで送液し、ｍｉｃｒｏ２１ＬＣポンプからコンディショニング溶液として１．０％ギ酸／メタノール溶液を２．５μＬ／ｍｉｎで送液した。【０１３１】（３）測定
上述した二次元のＭｉｘｉｎｇ−ｉｎ−Ｃｏｌｕｍｎ法を用いて、バイアルおよびサンプルウェルから第１溶液と第２溶液とをこの順で連続自動分注し、第２溶液中の物質のマスクロマトグラムを測定した。すなわち、一例としては、第１インジェクターから第１溶液を１次元目の分離流路１（分離用カラム）に注入した後、第２インジェクターから第２溶液を２次元目の分離流路１（相互作用解析用カラム）に一定の間隔で繰り返し注入した。その結果、第１溶液に含まれる物質がその物質特性に従って１次元目の分離流路１（分離用カラム）から所定の溶出時間で溶出し、第２インジェクター２から一定の間隔で繰り返しインジェクトされている第２溶液とＮａｎｏｔｉｇｈｔ  Ｙ  Ｃｏｎｎｅｃｔｏｒで合流して２次元目の分離流路１（相互作用解析用カラム）に導入された。【０１３２】  インジェクター２から一定の間隔で繰り返しインジェクトされている第２溶液に含まれる物質（群）は、２次元目の分離流路１（相互作用解析用カラム）から順次溶出し、イオントラップ型質量分析計ＬＣＱｄｅｃａＸＰでパルス状のマスクロマトグラムを示した。この時、第２溶液に含まれる物質（群）と相互作用する物質が１次元目の分離流路１（分離用カラム）から溶出して来なければ、一定の間隔で同等なパルス状のマスクロマトグラムが検出される。一方、第２溶液に含まれる物質（群）と相互作用する物質が１次元目の分離流路（分離用カラム）から溶出して来た場合には、２次元目の分離流路１（相互作用解析用カラム）での第２溶液中の物質のパルスの内、第１溶液中の相互作用物質で追い越されたパルスのマスクロマトグラムに変化が生じる。【０１３３】［測定例４］２次元のＭｉｘｉｎｇ−ｉｎ−Ｃｏｌｕｍｎメソッドを用いた相互作用分析
（サンプル調製）
第一物質溶液として、タンパク質を次の組成で含有する水溶液を調製した。【０１３４】  （ａ）第一物質なし（Ｒｅｆｅｒｅｎｃｅ）
１０ｍＭ  酢酸アンモニウム水溶液（ｐＨ６．７）、
（ｂ）第一物質Ｈｕｍａｎ  Ｓｅｒｕｍ  Ａｌｂｕｍｉｎ
１００μＭ  Ｈｕｍａｎ  Ｓｅｒｕｍ  Ａｌｂｕｍｉｎ（ＨＳＡ；Ｓｉｇｍａ社製）
第二物質溶液として、低分子化合物を次の組成で含有する水溶液を調製した。【０１３５】  （ａ）第二物質なし（Ｒｅｆｅｒｅｎｃｅ）
５％  ＤＭＳＯ
（ｂ）第二物質  Ｗａｒｆａｒｉｎ
１００μＭ  Ｗａｒｆａｒｉｎ
５％  ＤＭＳＯ
（測定および結果）
実施例３に例示された装置および２次元のＭｉｘｉｎｇ−ｉｎ−Ｃｏｌｕｍｎメソッドを用いて、第一物質を第１インジェクターからＴＳＫｓｕｐｅｒＳＷ３０００（カラムサイズ１．０ＩＤｘ１００ｍｍ；Ｔｏｓｏｈ  Ｃｏｒｐｏｒａｔｉｏｎ）に導入し、第二物質を第２インジェクターからＴＳＫｓｕｐｅｒＳＷ２０００（カラムサイズ１．０ＩＤｘ３０ｍｍ；Ｔｏｓｏｈ  Ｃｏｒｐｏｒａｔｉｏｎ）に導入し、Ｗａｒｆａｒｉｎ化合物のマスクロマトグラムを測定した。結果を図１０−１〜−６に示す。【０１３６】  第１インジェクターからインジェクトされた第１溶液中に第一物質が含まれない場合には、一定の間隔で同等なパルス状のＷａｒｆａｒｉｎのマスクロマトグラムが検出された（図１０−３）。一方、第１インジェクターからインジェクトされた第１溶液中に第一物質ＨＳＡが含まれていた場合には、測定例４（ｂ）での１２．３ｍｉｎおよび１４．８ｍｉｎに相当するピークの溶出が１１．８ｍｉｎおよび１４．１ｍｉｎと溶出が早まっていた（図１０−５）。ＨＳＡ自体は、２次元目のカラムから１１．５ｍｉｎに溶出しており（図１０−１）、図１０−５に示した、溶出が早まったｗａｒｆａｒｉｎパルスの溶出時間に相当する。すなわち、図１０−３に示した１２．３ｍｉｎおよび１４．８ｍｉｎのＷａｒｆａｒｉｎパルスを、１次元目のカラムから溶出したＨＳＡが２次元目のカラム内で追い越して、図１０−５に示した１１．８ｍｉｎおよび１４．１ｍｉｎのようにＷａｒｆａｒｉｎパルスの溶出を早めたことを示している。すなわち、２次元目のカラムでの第二物質Ｗａｒｆａｒｉｎのマスクロマトグラムの変化から、１次元目のカラムの溶出液中にＷａｒｆａｒｉｎと相互作用する第一物質が含まれているか、また、その第一物質が一次元目のカラムからのどの溶出時間に溶出してきたかを判定することが可能であった。【０１３７】  本明細書で引用した全ての刊行物、特許および特許出願をそのまま参考として本明細書にとり入れるものとする。
【図１】
2005036122.tif 000012
【図２−１】
2005036122.tif 000013
【図２−２】
2005036122.tif 000014
【図３−１】
2005036122.tif 000015
【図３−２】
2005036122.tif 000016
【図３−３】
2005036122.tif 000017
【図３−４】
2005036122.tif 000018
【図３−５】
2005036122.tif 000019
【図３−６】
2005036122.tif 000020
【図４−１】
2005036122.tif 000021
【図４−２】
2005036122.tif 000022
【図４−３】
2005036122.tif 000023
【図５−１】
2005036122.tif 000024
【図５−２】
2005036122.tif 000025
【図５−３】
2005036122.tif 000026
【図５−４】
2005036122.tif 000027
【図６−１】
2005036122.tif 000028
【図６−２】
2005036122.tif 000029
【図６−３】
2005036122.tif 000030
【図６−４】
2005036122.tif 000031
【図６−５】
2005036122.tif 000032
【図７−１】
2005036122.tif 000033
【図７−２】
2005036122.tif 000034
【図７−３】
2005036122.tif 000035
【図８−１】
2005036122.tif 000036
【図８−２】
2005036122.tif 000037
【図８−３】
2005036122.tif 000038
【図８−４】
2005036122.tif 000039
【図８−５】
2005036122.tif 000040
【図９−１】
2005036122.tif 000041
【図９−２】
2005036122.tif 000042
【図９−３】
2005036122.tif 000043
【図９−４】
2005036122.tif 000044
【図９−５】
2005036122.tif 000045
【図１０−１】
2005036122.tif 000046
【図１０−２】
2005036122.tif 000047
【図１０−３】
2005036122.tif 000048
【図１０−４】
2005036122.tif 000049
【図１０−５】
2005036122.tif 000050
【図１０−６】
2005036122.tif 000051